(57)【要約】【課題】連結された足裏用マッサージユニットとふくらはぎ用マッサージユニットにより、足裏とふくらはぎ、足首から膝裏までの部分、さらに、足裏と足の甲を選択的にマッサージすることができるようにした足用マッサージユニットを提供する。【解決手段】  被施療者の足裏をマッサージする足裏用施療部21を有する足裏用マッサージユニット20と、被施療者のふくらはぎをマッサージするふくらはぎ用施療部41を有するふくらはぎ用マッサージユニット40とを回動自在に連結した足用マッサージユニットにおいて、ふくらはぎ用マッサージユニット40は、ふくらはぎ用施療部41が、足裏用マッサージユニット20の足裏用施療部21と対向する位置又はほぼ同一平面に並ぶまで回動可能とした。【選択図】  図５
2005102918.tif 000002
【特許請求の範囲】
【請求項１】
被施療者の足裏をマッサージする足裏用施療部(21)を有する足裏用マッサージユニット(20)と、被施療者のふくらはぎをマッサージするふくらはぎ用施療部(41)を有するふくらはぎ用マッサージユニット(40)とを回動自在に連結した足用マッサージユニットにおいて、
ふくらはぎ用マッサージユニット(40)は、ふくらはぎ用施療部(41)が、足裏用マッサージユニット(20)の足裏用施療部(21)と対向する位置まで回動可能であることを特徴とする足用マッサージユニット。
【請求項２】
ふくらはぎ用マッサージユニット(40)は、ふくらはぎ用施療部(41)が、足裏用マッサージユニット(20)の足裏用施療部(21)とほぼ同一平面に並ぶまで回動可能である請求項１に記載の足用マッサージユニット。
【請求項３】
被施療者の足裏をマッサージする足裏用施療部(21)を有する足裏用マッサージユニット(20)と、被施療者のふくらはぎをマッサージするふくらはぎ用施療部(41)を有するふくらはぎ用マッサージユニット(40)とを回動自在に連結した足用マッサージユニットにおいて、
ふくらはぎ用マッサージユニット(40)は、ふくらはぎ用施療部(41)が、足裏用マッサージユニット(20)の足裏用施療部(21)とほぼ同一平面に並ぶまで回動可能であることを特徴とする足用マッサージユニット。
【発明の詳細な説明】
【技術分野】
【０００１】
本発明は、被施療者の足をマッサージすることのできるマッサージユニットに関するものである。
【背景技術】
【０００２】
被施療者のふくらはぎと足裏を同時にマッサージすることのできる足用マッサージユニットがある。この種、足用マッサージユニットとして、足裏をマッサージする足裏用マッサージユニットと、ふくらはぎをマッサージするふくらはぎ用マッサージユニットとを連結したものがある(例えば、特許文献１参照)。
【０００３】
【特許文献１】特開２０００−１６７０２１号公報(全文)
【発明の開示】
【発明が解決しようとする課題】
【０００４】
従来の足用マッサージユニットは、足裏用マッサージユニットは足裏のみ、ふくらはぎ用マッサージユニットはふくらはぎのみにしかマッサージすることができないため、複数の部位をマッサージするには、夫々専用のマッサージユニットを必要としていた。
本発明の目的は、連結された足裏用マッサージユニットとふくらはぎ用マッサージユニットにより、足裏とふくらはぎ、足首から膝裏までの部分、さらに、足裏と足の甲を選択的にマッサージすることができるようにした足用マッサージユニットを提供することである。
【課題を解決するための手段】
【０００５】
被施療者の足裏をマッサージする足裏用施療部を有する足裏用マッサージユニットと、被施療者のふくらはぎをマッサージするふくらはぎ用施療部を有するふくらはぎ用マッサージユニットとを回動自在に連結した足用マッサージユニットにおいて、
ふくらはぎ用マッサージユニットは、ふくらはぎ用施療部が、足裏用マッサージユニットの足裏用施療部と対向する位置まで回動可能とあした。
また、ふくらはぎ用マッサージユニットは、ふくらはぎ用施療部が、足裏用マッサージユニットの足裏用施療部とほぼ同一平面に並ぶまで回動可能とした。
【発明の効果】
【０００６】
ふくらはぎ用施療部と足裏用施療部がほぼ直交するように、ふくらはぎ用マッサージユニットを足裏用マッサージユニットに対して回動して位置決めすることにより、足裏用施療部によって被施療者の足裏をマッサージしつつ、ふくらはぎ用施療部によって被施療者のふくらはぎをマッサージすることができる。
ふくらはぎ用施療部と足裏用施療部が対向する位置に至るまで、ふくらはぎ用マッサージユニットを足裏用マッサージユニットに対して回動して位置決めすることにより、足裏用施療部によって被施療者の足裏をマッサージしつつ、ふくらはぎ用施療部によって被施療者の足の甲をマッサージすることができる。また、足裏用施療部とふくらはぎ用施療部との間に例えば脚部を挿入することにより、ふくらはぎの表側と裏側を同時にマッサージすることもできる。
ふくらはぎ用施療部と足裏用施療部がほぼ同一平面に並ぶまで、ふくらはぎ用マッサージユニットを足裏用マッサージユニットに対して回動して位置決めすることにより、足裏用施療部によって被施療者の足首をマッサージしつつ、ふくらはぎ用施療部によって、被施療者のふくらはぎ又は膝裏に至る部分をマッサージすることができる。
【０００７】
本発明の足用マッサージユニットによれば、１基の足用マッサージユニットで、被施療者の足裏とふくらはぎだけでなく、足裏と足の甲、又は、足首から膝裏に至る部分をマッサージすることができる。
【発明を実施するための最良の形態】
【０００８】
図１は、本発明の足用マッサージユニット(10)の斜視図、図２は、図１の線II−IIに沿う矢視断面図である。足用マッサージユニット(10)は、足裏用マッサージユニット(20)と、該足裏用マッサージユニット(20)の後端にふくらはぎ用マッサージユニット(40)を回動可能且つ位置決め可能に連結して構成される。
なお、マッサージユニット(20)(40)は、布等のカバーで包囲されているが、説明をわかりやすくするため、これらカバーは図示しない。
【０００９】
足裏用マッサージユニット(20)は、被施療者の足裏をマッサージする足裏用施療部(21)を有する。足裏用マッサージユニット(20)は、前後方向に延びる一対の凹み(23)(23)が併設された筺体(22)に、被施療者の足先を挿入可能に構成される。
凹み(23)(23)の底面には、左右方向に開口(24)(24)(24)が開設されており、足裏用施療部(21)として３列の指圧子(30)(31)(32)が出没可能となっている。
前方の指圧子(30)は、被施療者の足の指の付け根を指圧できるように、４本の指圧子から構成されており、中央の指圧子(31)は、土踏まず部分を広く指圧できるように、２本の指圧子から構成される。また、後方の指圧子(32)は、踵を指圧できるように配置されている。
指圧子(30)(31)(32)は、図２に示すごとく、筺体(22)の内部に配備されたエアバック(33)(34)(35)に取り付けられている。エアバック(33)(34)(35)は、夫々接続口(33a)(34a)(35a)からバルブ(図示せず)を介してエアポンプ(図示せず)に接続されており、エアバック(33)(34)(35)を膨張させることにより、上方に向けて押し出される。
凹み(23)の内側面には、足先を保持するスポンジやゴム等の弾性部材(36)が貼り付けられており、外側面には、弾性部材(36)と共働して足先を保持すると共に足先の側面を押圧マッサージする側面エアバック(37)が貼り付けられている。側面エアバック(37)もエアポンプに接続され、膨縮可能となっている。
【００１０】
ふくらはぎ用マッサージユニット(40)は、被施療者のふくらはぎをマッサージするふくらはぎ用施療部(41)を有する。ふくらはぎ用マッサージユニット(40)は、図２に示すように、外周がパイプ(42)により補強された中空のプレート(43)に、エアバック(52)(53)を貼り付けて構成され、各エアバック(52)(53)にふくらはぎ用施療部(41)として指圧子(50)(51)が取り付けられている。エアバック(52)(53)もプレート(43)内に配置された接続口(52a)(53a)からバルブを介してエアポンプに接続されている。
【００１１】
上記ふくらはぎ用マッサージユニット(40)は、足裏用マッサージユニット(20)に対して、回動位置決め機構(60)によって、図３乃至図５に示すように、回動可能且つ位置決め可能に連結される。
以下、回動位置決め機構(60)の構成について一例を挙げて説明する。
足裏用マッサージユニット(20)の筺体(22)には、図３に示すように、筺体(22)の底面から筺体(22)の後部に延び、さらに斜め上方に屈曲するフレーム(61)が配備されている。フレーム(61)の上端側には、図６に示すように、長孔(62)が貫通開設されている。また、フレーム(61)の上端近傍には前方に向けてフランジ(63)、屈曲部よりもやや上部には後方に向けてフランジ(64)が突設されている。各フランジ(63)(64)の中央には、後記する位置決めプレート(70)を固定するピン(68)が挿通する固定孔(63a)(64a)が開設されている。
フレーム(61)の長孔(62)には、図６に示すように、長孔(62)に沿ってスライド可能な基軸(71)が貫通しており、該基軸(71)の内側端部には、位置決めプレート(70)が取り付けられている。
位置決めプレート(70)は、基軸(71)を中心として基軸(71)の斜め前方から斜め後方にかけて複数の位置決め孔(72)(72)が開設されている。位置決め孔(72)(72)は、基軸(71)を中心として位置決めプレート(70)を回転させたときに、フランジ(63)(64)の固定孔(63a)(64a)と一致する半径上に設けられている。
位置決めプレート(70)の上端は、内側が厚肉になっており、図６に示すように、厚肉部分に矩形の支持孔(73)が上下方向に開設されている。支持孔(73)には、後記する支持柱(75)がスライド可能に貫通する。また、位置決めプレート(70)の上端には、支持孔(73)に連通し、支持柱(75)の位置調整用突起(76)が嵌まる位置調整用孔(74)が貫通開設されている。
【００１２】
位置決めプレート(70)の支持孔(73)には、図６に示すように、断面矩形の支持柱(75)が貫通しており、該支持柱(75)は、ふくらはぎ用マッサージユニット(40)のパイプ(42)の両側から前方に向けて突設されたアーム(77)に接続されている。支持柱(75)には、前記位置調整用孔(74)に嵌まって支持柱(75)の移動を規制する位置調整用突起(76)(76)が上下２カ所に形成されている。
【００１３】
上記回動位置決め機構(60)において、図３に示すように、位置決めプレート(70)の基軸(71)を、フレーム(61)の長孔(62)の下端まで移動させ、位置決めプレート(70)の最も下方にある位置決め孔(72)をフレーム(61)の下方のフランジ(64)の固定孔(64a)に位置合わせし、ピン(68)を通して、フレーム(61)に位置決めプレート(70)を固定する。また、支持柱(75)を位置決めプレート(70)の支持孔(73)に対して下方にスライドさせ、位置調整用孔(74)に上側の位置調整用突起(76)を嵌める。
これにより、図１及び図３に示すように、足裏用マッサージユニット(20)に対して、ふくらはぎ用マッサージユニット(40)がほぼ直角に立設した状態で固定される。
被施療者が足先を足裏用マッサージユニット(20)の凹み(23)に挿入し、ふくらはぎをふくらはぎ用マッサージユニット(40)に沿わせ、足裏用マッサージユニット(20)の側面エアバック(37)を膨張させ、被施療者の足先を浮き上がらないように保持しつつ、各マッサージユニット(20)(40)のエアバック(33)(34)(35)(52)(53)を作動することにより、被施療者の足裏に指圧子(30)(31)(32)による指圧マッサージ、ふくらはぎに指圧子(50)(51)による指圧マッサージが施される。
【００１４】
次に、ピン(68)を抜き、図４に示すように、位置決めプレート(70)を基軸(71)を中心に後方に回転させて、位置決めプレート(70)の中央の位置決め孔(72)とフレーム(61)の下方のフランジ(64)の固定孔(64a)とを位置合わせし、ピン(68)を通して、フレーム(61)に位置決めプレート(70)を固定する。これにより、図４に示すように、足裏用マッサージユニット(20)の指圧子(30)(31)(32)と、ふくらはぎ用マッサージユニット(40)の指圧子(50)(51)がほぼ同一平面上に並ぶ。
被施療者が、足首を足裏用マッサージユニット(20)の凹み(23)に挿入すると、足裏用マッサージユニット(20)の先端側の指圧子(30)に足首が当たり、ふくらはぎに足裏用マッサージユニット(20)の指圧子(31)(32)とふくらはぎ用マッサージユニット(40)の指圧子(51)が当たる。また、ふくらはぎ用マッサージユニット(40)の上側の指圧子(50)は膝裏に当たる。
この状態で、足裏用マッサージユニット(20)の側面エアバック(37)を膨張させ、被施療者の足首を浮き上がらないように保持しつつ、各マッサージユニット(20)(40)のエアバック(33)(34)(35)(52)(53)を作動することにより、被施療者の足首から膝裏に至る広範囲の部分に指圧子(30)(31)(32)(50)(51)による指圧マッサージが施される。
【００１５】
また、ピン(68)を抜き、図５に示すように、位置決めプレート(70)の基軸(71)を、フレーム(61)の長孔(62)の上端まで移動させ、ふくらはぎ用マッサージユニット(40)を前傾させて、位置決めプレート(70)の最も前方にある位置決め孔(72)をフレーム(61)の上方のフランジ(63)の固定孔(63a)に位置合わせし、ピン(68)を通して、フレーム(61)に位置決めプレート(70)を固定する。また、支持柱(75)を位置決めプレート(70)の支持孔(73)に対して最も延びる位置までスライドさせ、位置調整用孔(74)に下側の位置調整用突起(76)を嵌める。
これにより、図５に示すように、足裏用マッサージユニット(20)とふくらはぎ用マッサージユニット(40)が対面した状態となり、足裏用施療部(21)の指圧子(30)(31)(32)とふくらはぎ用施療部(41)の指圧子(50)(51)が対向する。
被施療者が足先を足裏用マッサージユニット(20)とふくらはぎ用マッサージユニット(40)との間に挿入し、足裏用マッサージユニット(20)の側面エアバック(37)を膨張させ、被施療者の足先を浮き上がらないように保持しつつ、各マッサージユニット(20)(40)のエアバック(33)(34)(35)(52)(53)を作動することにより、被施療者の足裏に指圧子(30)(31)(32)による指圧マッサージ、足の甲に指圧子(50)(51)による指圧マッサージが施される。なお、図では、足の甲が指圧子(50)(51)から離れているが、各エアバックが膨張すると、指圧子(50)(51)は足の甲に当たり、指圧が可能となる。
また、足の甲に代えて、被施療者の脚部を対向した足裏用施療部(21)とふくらはぎ用施療部(41)との間に挿入すると、ふくらはぎの表側と裏側を同時にマッサージすることもできる。
【００１６】
上記のように、足裏用マッサージユニット(20)とふくらはぎ用マッサージユニット(40)を所望の角度に回動することにより、足裏とふくらはぎ、足首から膝裏まで、さらに、足裏と足の甲をマッサージすることができる。
【００１７】
なお、上記説明では、足裏用施療部(21)及びふくらはぎ用施療部(41)として、エアバックに指圧子を取り付けたものを例示しているが、低周波発生源やバイブレーションタイプのもの等を施療部に装着してもよい。
また、回動位置決め機構(60)は、足裏用マッサージユニット(20)に対してふくらはぎ用マッサージユニット(40)を上記の如く回動可能且つ位置決め可能に支持する構成であれば、実施例に限定されるものではない。
【産業上の利用可能性】
【００１８】
本発明の足用マッサージユニットは、被施療者の足の種々の部分を広範囲に亘ってマッサージすることができるマッサージユニットとして有用である。
【図面の簡単な説明】
【００１９】
【図１】本発明の足用マッサージユニットの斜視図である。
【図２】図１の線II−IIに沿う矢視断面図である。
【図３】被施療者の足裏とふくらはぎをマッサージしている足用マッサージユニットの側面図である。
【図４】被施療者の足首から膝裏に至る部分をマッサージしている足用マッサージユニットの側面図である。
【図５】被施療者の足裏と足の甲をマッサージしている足用マッサージユニットの側面図である。
【図６】回動位置決め機構を拡大して示す斜視図である。
【符号の説明】
【００２０】
(10)  足用マッサージユニット
(20)  足裏用マッサージユニット
(21)  足裏用施療部
(40)  ふくらはぎ用マッサージユニット
(41)  ふくらはぎ用施療部
(60)  回動位置決め機構
(61)  フレーム
(70)  位置決めプレート
【図１】
2005102918.tif 000003
【図２】
2005102918.tif 000004
【図３】
2005102918.tif 000005
【図４】
2005102918.tif 000006
【図５】
2005102918.tif 000007
【図６】
2005102918.tif 000008